(57)【要約】【課題】本発明は建築、構築物に用いる乾式壁材の長手方向の端部を付き合わせて出来る縦目地部の構造に関するものである。さらに詳しくは、化粧キャップの脱落の無い縦目地用ジョイナに関するものである。【解決手段】乾式壁材Ｄの目地部Ｍを被覆する縦目地用ジョイナＡにおいて、縦目地用ジョイナＡは敷目板Ｂと化粧キャップＣからなり、敷目板Ｂは長尺状板材であり、水平部１と嵌合部４とからなり、化粧キャップＣは垂直平面状の化粧面部８と、化粧面部８の裏面中央に長手方向に突出した係合部４とからなり、化粧面部８の上端には化粧面部８の上端を屋内側に屈曲した段差１２と、段差１２の先端を上方に屈曲した底片１３と、底片１３の少なくとも一方の端部を屋内側に折り返した裏面１６と、裏面１６の先端を屋内側に突出した挿入片１７とから形成した縦目地用ジョイナＡである。【選択図】図９
2018155058.tif 000002
【特許請求の範囲】
【請求項１】
乾式壁材の目地部を被覆する縦目地用ジョイナにおいて、縦目地用ジョイナは敷目板と化粧キャップからなり、敷目板は長尺状板材であり、水平部と嵌合部とからなり、化粧キャップは垂直平面状の化粧面部と、化粧面部の裏面中央に長手方向に突出した係合部とからなり、化粧面部の上端には化粧面部の上端を屋内側に屈曲した段差と、段差の先端を上方に屈曲した底片と、底片の少なくとも一方の端部を屋内側に折り返した裏面と、裏面の先端を屋内側に突出した挿入片とから形成したことを特徴とする縦目地用ジョイナ。
【発明の詳細な説明】
【技術分野】
【０００１】
本発明は建築、構築物に用いる乾式壁材の長手方向の端部を付き合わせて出来る縦目地部の構造に関するものである。さらに詳しくは、化粧キャップの脱落の無い縦目地用ジョイナに関するものである。
【背景技術】
【０００２】
一般に金属板を表面材とし、合成樹脂発泡体を芯材とし、シート状物を裏面材としたサンドイッチ構造の乾式壁材、あるいは無機系の材料からなる乾式壁材を用いて横張り状に壁体を形成した場合には、乾式壁材の長手方向の突き合わせにより縦目地が形成され、縦目地は単に付き合わせたり、コーキング材を植設したり、Ｈ型のジョイナを使用したり、敷目板と化粧キャップの２部材の嵌合により縦目地を形成する方法がある。（例えば、特許文献１〜３参照）。
【先行技術文献】
【特許文献】
【０００３】
【特許文献１】特開２００５−０６８８８２号公報
【特許文献２】特開平１１−１３１７４４号公報
【特許文献３】実開昭６２−１８２３４０号公報
【発明の概要】
【発明が解決しようとする課題】
【０００４】
しかしながら、化粧キャップの上端を乾式壁材の嵌合部内に挿入するために、乾式壁材の嵌合状態に左右され、壁体より外れてしまう危険性があった。
【課題を解決するための手段】
【０００５】
本発明はこのような欠点を解決するために、乾式壁材の目地部を被覆する縦目地用ジョイナにおいて、縦目地用ジョイナは敷目板と化粧キャップからなり、敷目板は長尺状板材であり、水平部と嵌合部とからなり、化粧キャップは垂直平面状の化粧面部と、化粧面部の裏面中央に長手方向に突出した係合部とからなり、化粧面部の上端には化粧面部の上端を屋内側に屈曲した段差と、段差の先端を上方に屈曲した底片と、底片の少なくとも一方の端部を屋内側に折り返した裏面と、裏面の先端を屋内側に突出した挿入片とから形成した縦目地用ジョイナを提供するものである。
【発明の効果】
【０００６】
本発明に係る縦目地用ジョイナによれば、化粧キャップの化粧面部の上端には、敷目板の嵌合溝内に挿入される挿入片と、壁下地に固定される固定片を形成したために、（１）化粧キャップの上部が壁下地に確実に固定出来る。（２）固定片が安定しているために化粧キャップの上部が楽に固定出来る。（３）化粧キャップの脱落がない。等の特徴、効果がある。
【図面の簡単な説明】
【０００７】
【図１】本発明に係る縦目地用ジョイナに使用する敷目板と化粧キャップの一実施例を示す断面図である。
【図２】本発明に係る縦目地用ジョイナの施工状態を示す断面図である。
【図３】本発明に係る縦目地用ジョイナの施工状態を示す断面図である。
【図４】本発明に係る縦目地用ジョイナの施工状態を示す拡大断面図である。
【図５】本発明に係る縦目地用ジョイナの施工状態を示す断面図である。
【図６】本発明に係る縦目地用ジョイナの施工状態を示す断面図である。
【図７】本発明に係る縦目地用ジョイナの施工状態を示す断面図である。
【図８】本発明に係る縦目地用ジョイナの施工状態を示す斜視図である。
【図９】本発明に係る縦目地用ジョイナに使用する化粧キャップの一実施例を示す斜視図である。
【図１０】本発明に係る縦目地用ジョイナに使用する化粧キャップの一実施例を示す断面図である。
【図１１】本発明に係る縦目地用ジョイナの上下の連結状態の一実施例を示す断面図である。
【図１２】本発明に係る縦目地用ジョイナに使用する乾式壁材の一実施例を示す断面図である。
【図１３】本発明に係る縦目地用ジョイナに使用する乾式壁材の施工状態の一実施例を示す断面図である。
【図１４】本発明に係る縦目地用ジョイナに使用する化粧キャップのその他の実施例を示す斜視図である。
【図１５】本発明に係る縦目地用ジョイナに使用する化粧キャップのその他の実施例を示す断面図である。
【図１６】本発明に係る縦目地用ジョイナに使用する化粧キャップのその他の実施例を示す断面図である。
【図１７】本発明に係る縦目地用ジョイナに使用する化粧キャップのその他の実施例を示す断面図である。
【図１８】本発明に係る縦目地用ジョイナのその他の実施例を示す断面図である。
【発明を実施するための形態】
【実施例】
【０００８】
以下に図面を用いて本発明に係る縦目地用ジョイナの代表的な実施例について詳細に説明する。図１（ａ）、（ｂ）は本発明に係る縦目地用ジョイナＡに使用する敷目板Ｂと化粧キャップＣを示す断面図、図２は縦目地用ジョイナＡの施工状態を示す断面図、図３は縦目地用ジョイナＡの施工状態を示す断面図、図４は縦目地用ジョイナＡの施工状態を示す拡大断面図、図５〜図７は縦目地用ジョイナＡの施工順序を示す断面図、図８は縦目地用ジョイナＡの施工状態を示す斜視図、図９〜図１１は縦目地用ジョイナＡに使用する化粧キャップＣの一実施例を示す斜視図と断面図と施工状態図、図１２〜図１３は乾式壁材Ｄとその施工状態を示す断面図であり、Ａは縦目地用ジョイナ、Ｂは敷目板、Ｃは化粧キャップ、Ｄは乾式壁材、Ｍは目地部、Ｔは縦目地部、Ｙは横目地部、αは壁下地、βは固定具である。
【０００９】
さらに詳説すると、縦目地用ジョイナＡは金属製薄板材、例えば鉄、アルミニウム、銅、ステンレス、チタン、アルミ・亜鉛合金メッキ鋼板、ガルバ鋼板、ホーロー鋼板、クラッド鋼板、ラミネート鋼板（塩ビ鋼板等）、サンドイッチ鋼板（制振鋼板等）、合成樹脂製板材、例えば塩化ビニル樹脂、ポリカーボネイト樹脂等（勿論、これらを各種色調に塗装したカラー板を含む）の一種をロール成形、プレス成形、等によって各種形状に成形したものである。
【００１０】
敷目板Ｂは長尺状板材であり、図１（ａ）に示すように水平部１と嵌合部４とから形成したものである。さらに詳説すると、水平部１は水平面状の固定片２と、固定片２の先端をはぜ状に屈曲した舌片３とから形成したものである。また、嵌合部４は水平部１のほぼ中央部分を上方に屈曲して形成した２本のガイド片５と、両ガイド片５の先端を内側方に屈曲し先端を内方に屈曲して断面略Ｕ字状の嵌合溝６を形成し、嵌合溝６内に突出した嵌合爪７とから形成したものである。この嵌合部４は後記する化粧キャップＣの係合部９を係合する部分である。
【００１１】
化粧キャップＣは乾式壁材Ｄの化粧面および断面形状によって定めるものであり、図９に示すような乾式壁材Ｄを使用して壁体を形成する場合には、図９〜１１に示すような化粧キャップＣとなる。
【００１２】
さらに詳説すると、化粧キャップＣは乾式壁材Ｄの化粧面Ｄ１と化粧目地Ｄ２と同形状に形成した狭い幅の化粧面８ａと化粧目地８ｂよりなる垂直平面状の化粧面部８と、化粧面部８の裏面中央に長手方向に突出した係合部９から形成したものであり、化粧面部８は図２に示すように、乾式壁材Ｄの端部を被覆し意匠性、防水性を向上する部分で、上部Ｊと下部Ｋとから形成されたものである。
【００１３】
係合部９は化粧面部８の裏面中央に突出可能な位置を９０°に、かつ適宜間隔で屈曲した立ち上がり部１０と、立ち上がり部１０の先端近傍に外側方に突出して形成した係合片１１からなり、係合片１１は敷目板Ｂの嵌合爪７に係合され、化粧キャップＣを壁下地αに固定するためのものである。なお、図では成形加工上、化粧面８ａの裏面部分にのみ係合部９を形成している。
【００１４】
上部Ｊは、化粧面部８の上端を屋内側に傾斜して屈曲した段差１２と、段差１２の先端を上方に屈曲した底片１３と、底片１３の先端を屋内側に屈曲した段差片１４と、段差片１４の先端を上方へ突出した固定片１５と、固定片１５の左右両端部を屋内側に折り返した裏面１６と、裏面１６の先端を屋内側に突出した挿入片１７と、固定片１７の略中央部分に形成した固定孔１８とから形成したものである。
【００１５】
底片１３は、乾式壁材Ｄ同士の連結溝上に形成される部分である。これは、図１４に示す乾式壁材Ｄの施工状態を示す断面図に示すように、横目地部Ｙの形状に合致させて形成したものである。
【００１６】
段差片１４、固定片１５は、図２〜図４に示すように、縦目地部Ｔの幅をＷ、段差片１４、固定片１５の幅をＷ１とすると、Ｗ＞Ｗ１の関係にするものである。
【００１７】
段差片１４は、底片１３と敷目板Ｂの嵌合部４の先端部分との空間を無くし、敷目板Ｂの嵌合部４上に固定片１５を載置出来るように形成し、固定片１５の固定具βによる打設がスムーズに行えるように形成したものである。
【００１８】
固定片１５は、挿入片１７が敷目板Ｂの嵌合溝６内に挿入されることにより敷目板Ｂの嵌合部４上に安定した状態で載置され、この固定片１５を壁下地αに固定具βにより打設することにより化粧キャップＣの上部Ｊを確実に固定するものである。
【００１９】
挿入片１７は、図３、図４に示すように、施工時に敷目板Ｂの嵌合溝６内に挿入されることにより、挿入片１７が嵌合溝６内で固定され、化粧キャップＣの固定片１５を壁下地αに固定具βにより打設する際に安定して固定が出来るように形成したものである。
【００２０】
固定孔１８は、図４、図９に示すように化粧キャップＣの固定片１５を壁下地αに固定具βにより打設する際に安定して、かつ楽に固定出来るように形成した孔である。
【００２１】
下部Ｋは、化粧面部８の下端を屋内側に傾斜して突出し、先端を折り返した目地カバー片１３を形成したものであり、乾式壁材Ｄの横目地部Ｙ部分を被覆するものである。
【００２２】
図では、化粧キャップＣの化粧面部８の断面形状は乾式壁材Ｄの化粧面部１７の断面形状と同一とするものである。
【００２３】
乾式壁材Ｄは図１２に示すように、化粧面Ｄ１と化粧目地Ｄ２を形成した雄雌嵌合構造の乾式壁材Ｄであり、金属系サイディング材、窯業系サイディング材、セラミック、等より成形したものである。
【００２４】
次に、本発明に係る縦目地用ジョイナの施工方法について詳細に説明する。そこで、図１（ａ）、（ｂ）、図９〜図１１、図１２に示すような敷目板Ｂ、化粧キャップＣと乾式壁材Ｄを用いて縦目地用ジョイナＡを施工するとする。
【００２５】
まず、図５に示すように縦目地部Ｔとなる部分に敷目板Ｂを縦に施工する。次に、図６に示すように乾式壁材Ｄを土台から軒に向かって複数段固定する。
【００２６】
乾式壁材Ｄの施工が完了したら、図７に示すように、化粧キャップＣを矢印で示すように敷目板Ｂの嵌合溝６内に挿入し、敷目板Ｂの嵌合爪７と化粧キャップＣの係合片１１を係合させて図２に示すように施工する。その後、図３、図４に示すように化粧キャップＣの上部Ｊの固定片１５に形成された固定孔１８に固定具βを打設し、固定片１５を壁下地αに固定するものである。
【００２７】
以上説明したのは、本発明に係る縦目地用ジョイナの一実施例に過ぎず、図１４（ａ）、（ｂ）〜図１８（ａ）、（ｂ）に示すように形成することが出来る。
【００２８】
すなわち、図１４（ａ）、（ｂ）は係合部９を連続状で形成した化粧キャップＣ、図１５（ａ）、（ｂ）は段差片１４を削除した化粧キャップＣ、図１６（ａ）、（ｂ）〜図１７（ａ）、（ｂ）は上部Ｊの底片１３を乾式壁材Ｄの連結溝Ｄ３内に挿入するように形成した化粧キャップＣである。
【００２９】
さらに、図１８（ａ）、（ｂ）は出隅部、あるいは入隅部に使用出来る縦目地用ジョイナＡを示す断面図である。
【符号の説明】
【００３０】
Ａ  縦目地用ジョイナ
Ｂ  敷目板
Ｃ  化粧キャップ
Ｄ  乾式壁材
Ｄ１  化粧面
Ｄ２  化粧目地
Ｄ３  連結溝
Ｊ  上部
Ｋ  下部
Ｍ  目地部
Ｔ  縦目地部
Ｙ  横目地部
α  壁下地
β  固定具
１  水平部
２  固定片
３  舌片
４  嵌合部
５  ガイド片
６  嵌合溝
７  嵌合爪
８  化粧面部
８ａ  化粧面
８ｂ  化粧目地
９  係合部
１０  立ち上がり部
１１  係合片
１２  段差
１３  底片
１４  段差片
１５  固定片
１６  裏面
１７  挿入片
１８  固定孔
１９  目地カバー片
２０  化粧面部
【図１】
2018155058.tif 000003
【図２】
2018155058.tif 000004
【図３】
2018155058.tif 000005
【図４】
2018155058.tif 000006
【図５】
2018155058.tif 000007
【図６】
2018155058.tif 000008
【図７】
2018155058.tif 000009
【図８】
2018155058.tif 000010
【図９】
2018155058.tif 000011
【図１０】
2018155058.tif 000012
【図１１】
2018155058.tif 000013
【図１２】
2018155058.tif 000014
【図１３】
2018155058.tif 000015
【図１４】
2018155058.tif 000016
【図１５】
2018155058.tif 000017
【図１６】
2018155058.tif 000018
【図１７】
2018155058.tif 000019
【図１８】
2018155058.tif 000020